(57)【特許請求の範囲】
【請求項１】
地盤造成用作業機械を載置したワゴンの底面を既に施工した人工地盤上に支持し該ワゴンを昇降し水平移動自在に支持する複数のリフタと、該ワゴンを推進する推進力を水平に変換するスライド機構を備えた推進ジャッキと、傾斜地盤上でワゴン上面を水平に保つように前記複数のリフタを昇降制御する制御装置とを備え、前記リフタは人工地盤上に敷設した軌条上に載置されたフレームと、該フレーム上に山形に配設され、垂直荷重及び水平力を支持する油圧シリンダと、ワゴンを支持する受ローラとを備えたことを特徴とする傾斜人工地盤の造成装置。
【発明の詳細な説明】
【０００１】
【発明の属する技術分野】
本発明は、道路、桟橋、広場、公園、展望台、ヘリポート等を形成するための人工地盤を空中に構築する場合に、地上にこれらを施工するスペースが確保できない条件の時、例えば、水上、線路上、道路上、構築物上などに人工地盤を構築することができる技術に関し、とくに縦断勾配を有する傾斜人工地盤の造成装置に関する。
【０００２】
【従来の技術】
空中に人工地盤を構築する場合に、地上に施工スペースを確保することができない場合、例えば、水上、線路上、道路上、又は地上に構築物等があって施工用のクレーン等が近接することができない立地条件の場合、架設桟橋を用いて施工することもできるが、工期、工費的に不利となるので、手延式工法を採用することが多い。手延式工法は、人工地盤を延長しながらその上にワゴン等を載置し、このワゴン上にクレーン、杭打機その他の施工装置を載置し、順次前進しながら前方に人工地盤を造成し順次延長してゆくいわゆる手延べ式工法を採用する。このような技術に用いるワゴンは例えば、実公昭５−３５１７８号公報、実公昭６−１９６２８号公報に開示されている。
【０００３】
図１３、図１４はこの技術を示すものである。図は水中に杭７１を打って水上構造物を建設する杭打工程を示すもので、既に打ち終った杭７１の上に桁７２を載せその上にワゴン１を載せジャッキ３で前進させ、ワゴン１上に作業用機械（杭打装置）１００を載置して順次施工する杭打工法である。図１３はその側面図、図１４はその平面図を示している。このような従来のワゴンを用いる人工地盤の構築ではその地盤上面レベルはほぼフラットである。傾斜のある人工地盤を構築する場合、既に構築済の傾斜した構造物上にクレーン等の重機を載せると、傾斜した足元の上で作業を行うこととなるため、安全を確保することができず、これまでこのような施工は行われていなかった。
【０００４】
【発明が解決しようとする課題】
本発明は上記問題点を解決した傾斜人工地盤の造成装置を開発し、これを提供するものである。
本発明は、傾斜地盤上で作業用機械（重機）が水平を保ちながら作業を行い、手延べ式に人工地盤を構築して行く方法に用いる装置を提供することを目的とする。
【０００５】
【課題を解決するための手段】
本発明は、上記問題点を解決するために、次の技術手段を講じたことを特徴とする傾斜人工地盤の造成装置である。
本発明は、既に施工した人工地盤上に、地盤造成用作業機械を載置したワゴンを載せ、このワゴンを、その上面を水平に保ちつつ前進させ、手延べ方式で人工地盤を延長造成する傾斜人工地盤の造成方法に適用される。
【０００６】
上記方法を好適に実施することができる本発明の装置は、地盤造成用作業機械を載置したワゴンの底面を既に施工した人工地盤上に支持し該ワゴンを昇降し水平移動自在に支持する複数のリフタと、該ワゴンを推進する推進力を水平に変換するスライド機構を備えた推進ジャッキと、傾斜地盤上でワゴン上面を水平に保つように前記複数のリフタを昇降制御する制御装置とを備え、前記リフタは人工地盤上に敷設した軌条上に載置されたフレームと、該フレーム上に山形に配設され、垂直荷重及び水平力を支持する油圧シリンダと、ワゴンを支持する受ローラとを備えたことを特徴とする傾斜人工地盤の造成装置である。
【０００７】
【発明の実施の形態】
水平な人工地盤を順次構築し、その上にワゴンを載せ、このワゴン上に人工地盤構築用の機械や装置を載せ、前進しながら人工地盤を延長構築するいわゆる手延べ方式の人工地盤構築方法は上記のように、公知である。しかし、この人工地盤に傾斜がある場合、その上に載せた作業用機械（重機）は、安全性を確保する上で問題があり、従来実現されていなかった。本発明はワゴン上面を水平に保つことと、ワゴンを傾斜地盤の上でも円滑に推進させることができる技術を開発し、傾斜人工地盤を手延べ方式で安価に迅速に施工することができるようにしたものである。
【０００８】
以下図面を参照しながら、本発明方法と装置について詳細に説明する。
図１は本発明の実施例の傾斜人工地盤の造成方法及び装置を示す全体側面図、図２はその平面図である。多数のピヤ６１上に桁６２、梁６４を取付けて人工地盤を構築する。梁６４上に軌条６３を敷設し、この軌条６３上に複数のリフタ２を載せ、その上にワゴン１を載置する。リフタ２は、ワゴン１の底面を既に施工した人工地盤上に支持し、ワゴンを昇降し水平移動自在に支持し、ワゴン１の上面を水平に保つように昇降調整される。ワゴン１上には図示省略した作業用機械が載置されている。またワゴン１の上面は、覆工板が敷詰められておりワゴンの上面の周囲には手摺等を備えているが、図では省略してある。ワゴンの大きさは、施工する人工地盤の規模に応じて決定するとよいが、例えば幅１０〜２０ｍ、長さ３０〜６０ｍ程度のものである。
【０００９】
本発明ではワゴン１上にクローラクレーン等の作業用機械を載せ、鉄骨架設を行うため、ワゴン１を傾斜人工地盤上に支持し、ワゴン１を昇降し、ワゴン１の上面を水平に保ち、ワゴンを水平移動自在に支持する複数のリフタ２を用いる。リフタ２は単に垂直荷重のみではなくワゴンに働く水平力をも考慮し、重量物をジャッキアップし、ワゴンが移動するのを許容する構造となっている。
【００１０】
従来の重荷重用リフタのジャッキは座屈強度を大きくすることが容易ではなく、また、水平力に対して対応できないという問題があり、このため、ジャッキストロークを大きく取ることができないという問題があった。また、水平力が働く場合には、別途に水平力を発生させない機構を追加する必要があった。
図３に本発明の実施例のリフタ２の側面図、図４にその正面図を示した。リフタ２は、軌条６３の上に載置されたフレーム２３と、その上に設けた複数の油圧シリンダ２１と、荷重受台２２と、その上に配置された受ローラ２４とから構成されている。油圧シリンダ２１は、水平力にも対向できるように側面から見て山形に２組配置されている。油圧シリンダの上端は荷重受台２２の下面の前後左右４点をそれぞれ押し上げるようになっている。荷重受台２２には、ワゴン１の下面を支持する多数の受ローラ２４を備えワゴン１を前後進自在に支持している。上記荷重受台を前後左右４点で支持する油圧シリンダの配置構造により、荷重受台２２上の受ローラが常にワゴンの底面に一致するように支持される。
【００１１】
リフタ２は１基当たり２００トンという重荷重に耐えられる仕様とする。ワゴン１は６〜１２台程度のリフタで支持され、これらのリフタ２はワゴン１を載置する既設人工地盤の勾配を吸収し、ワゴン１の上面を水平に保つ。リフタの昇降量は５００ｍｍ以上と大きく取ることができる。実施例のリフタでは、油圧シリンダ２１を山形に配列した効果により水平方向の分力を支持する作用を生じ、ワゴン進行方向の水平力をこの分力で受ける構造となっている。
【００１２】
なお、図３、図４には軌条６３を梁６４に固定するクランプ６５の様子が併せて示されている。
次に推進ジャッキについて説明する。
推進ジャッキはワゴンの尾端に左右一対が設けられている。規模にもよるが、推進ジャッキの推進力は片側で５０〜１００トンにも及ぶ。本発明の装置では、図５に示すように、ワゴンを推進する推進力を水平に変換するスライド機構を備えている。このスライド機構３１は、ワゴン１上に一端を固定された第１のジャッキ３と結合されて水平にスライドし、尾端に第２のジャッキ４を結合している。第２のジャッキ４は、既に施工された傾斜人工地盤の上に敷設された軌条を掴持する反力機構５を備えている。この第２のジャッキ４は、水平に対して傾きを有しており、またジャッキの伸縮動作に伴いその傾きも変化する。スライド機構３１は、尾端に吊下部３２を備え、その吊下部３２の下端に第２のジャッキ４の先端をピン３３で結合している。この機構によって第２のジャッキ４の推力を水平方向に方向変換する作用を持っている。図６は、推進装置が最も伸長した状態を示している。また、従来のワゴンを推進するジャッキはワゴンの後端に一対の単一の１つのシリンダを設け、ジャッキを盛り変えながらワゴンを前進させていたが、本発明では、第１のジャッキ３と第２のジャッキ４とスライド機構３１を備えているので、合計ストロークが大きく、かつワゴンから突出するジャッキの寸法を小さくすることができる。
【００１３】
本発明の装置は、制御装置８を備えている。制御装置８は、油圧ユニット、バルブスタンド、制御盤から構成されている。制御盤には、ワゴン操作のシーケンスを記憶させ、ワゴンの水平保持、ワゴンの推進操作を自動的に実行させることができる。
本発明装置の１実施例について具体的な操作を、図７〜図１２を参照して説明する。図７に示すように、本発明の装置は、作業用機械（重機）１００を載せたワゴン１を備え、ワゴン１は、多数のリフタ２上に載置し、ワゴン１には推進ジャッキを備え、人工地盤の梁６４上に設けた軌条６３上に載置されている。
【００１４】
図８はワゴン１の推進動作開始直前の状態を示している。多数のリフタ２はワゴン１の上面が水平になるように、それぞれ高さを調整してある。キャッチング装置５は、軌条６３を掴持している。ここで各リフタのストッパを緩めワゴンが前進するのを可能にする。
ついで、推進ジャッキ装置の第２のジャッキ４、第１のジャッキ３を順次伸長し、図９に示すように、ワゴン１を前進させる。ついで、各リフタのストッパを締め、図１０に示すように、キャッチング装置を軌条６３から取り外し、ホイスト７で吊り上げ、第１のジャッキ３、第２のジャッキ４を縮小し、図１１に示すように、キャッチング装置５を前方に移設し、降下させる。図１２に示すように、キャッチング装置５を軌条６３に取付け、次のワゴン推進準備に入る。後方に取り残されたリフタ２は、軌条６３上から撤去し、リフタ２ａで示すように吊り上げ、ワゴンの前方の位置に運搬し、次の設置位置に据え付ける。以上の動作を繰り返し、推進を完了し、人工地盤の前方の施工を続行し、手延べ方式によって人工地盤の構築を行うことができる。
【００１５】
【発明の効果】
本発明によれば、傾斜人工地盤の施工に当たり、重機等の作業架台となるワゴンを既設の人工地盤上に載置し、複数台のリフタを用いてワゴン上面を水平に保ち、前後進させる推進ジャッキを備え、このワゴン上に重機を載せて、手延べ方式で施工することによって、傾斜のある人工地盤を容易に構築することが可能となった。具体的には、最大９％の勾配のある人工地盤の構築が可能となった。また、人工地盤の施工期間中も人工地盤下部空間に、車輌、電車、その他の安全な通行が可能である。
【図面の簡単な説明】
【図１】実施例の傾斜人工地盤の造成装置の全体側面図である。
【図２】実施例の傾斜人工地盤の造成装置の全体平面図である。
【図３】実施例のリフタの側面図である。
【図４】実施例のリフタの側面図である。
【図５】実施例の推進ジャッキの側面図である。
【図６】実施例の推進ジャッキの側面図である。
【図７】実施例の工程説明図である。
【図８】実施例の工程説明図である。
【図９】実施例の工程説明図である。
【図１０】実施例の工程説明図である。
【図１１】実施例の工程説明図である。
【図１２】実施例の工程説明図である。
【図１３】従来例の説明図である。
【図１４】従来例の説明図である。
【符号の説明】
１    ワゴン                      ２、２ａ    リフタ
３    ジャッキ                    ４    ジャッキ
５    キャッチング装置            ６    吊り上げフレーム
７    ホイスト                    ８    制御装置
２１  油圧シリンダ                ２２  荷重受台
２３  フレーム                    ２４  受ローラ
３１  スライド機構                ３２  吊下部
３３  ピン                        ６１  ピヤ
６２  桁                          ６３  軌条
６４  梁                          ６５  クランプ
７１  杭                          ７２  桁
１００  作業用機械
【図１】
0003657320.tif 000002
【図２】
0003657320.tif 000003
【図３】
0003657320.tif 000004
【図４】
0003657320.tif 000005
【図５】
0003657320.tif 000006
【図６】
0003657320.tif 000007
【図７】
0003657320.tif 000008
【図８】
0003657320.tif 000009
【図９】
0003657320.tif 000010
【図１０】
0003657320.tif 000011
【図１１】
0003657320.tif 000012
【図１２】
0003657320.tif 000013
【図１３】
0003657320.tif 000014
【図１４】
0003657320.tif 000015